(57)【要約】【課題】特に大型の支柱を使わなくても、大型の引き戸に対応して、該引き戸を十分に支持し、常に円滑、確実に走行させることができる引き戸の支持構造。【解決手段】一端に戸当り柱３を設けた引き戸レール１の中途部の側部に２本のガイド柱４、５をレールに沿って設け、上記レールに引き戸２を開閉自在に設け、これら各ガイド柱４、５の裏側から引き戸２の上部を覆うように突出したガイドアーム１１、１２に、上記引き戸２の左右両側面に沿って転動させる１対のガイドローラ１３を設け、該ガイドローラ１３によって引き戸２の上部を支持した。【選択図】        図４
2004278092.tif 000002
【特許請求の範囲】
【請求項１】
一端に戸当り柱を設けた引き戸レールの中途部の側部に２本のガイド柱をレールに沿って設け、上記レールに引き戸を開閉自在に設け、これら各ガイド柱の裏側から引き戸の上部を覆うように突出したガイドアームに、上記引き戸の左右両側面に沿って転動させる１対のガイドローラを設け、該ガイドローラによって引き戸の上部を支持するとともに、上記の少なくとも１本のガイド柱の基部には、上記引き戸の下部の左右両側部に係合可能でその転倒を防止する転倒防止金具を設けた、請求項１記載の引き戸の支持構造。
【請求項２】
前記２つのガイド柱は連結金具を介して連結されている、請求項１記載の引き戸の支持構造。
【発明の詳細な説明】
【０００１】
【発明の属する技術分野】
本発明は、建物の玄関、車庫などに設置される引き戸を円滑、確実に摺動させることができる引き戸の支持構造に関する。
【０００２】
【従来技術とその問題点】
一般に、建物の玄関、車庫などに設置される引き戸は、引き戸レールの途中の側部にガイド支柱を設け、上記レールに引き戸を開閉自在に設け、上記ガイド支柱から屋敷側に水平に差出されたガイドアームに引き戸を挟むように１対のガイドローラを取り付け、これらのガイドローラとレールとで引き戸を支持していた。ガイド支柱は１本で、コンクリートで固められて固定されるのが通常である（例えば、特許文献１参照）。
【０００３】
【特許文献１】
特開平６−２６４６６５号公報
【０００４】
【発明が解決しようとする課題】
しかしながら、１対のガイドローラだけで引き戸の上部を支持する構成では、引き戸を大型化した場合、引き戸自体が長くなるので、ガイドローラから遠い部分では十分な支持が得られにくいため、その部分では引き戸自体にねじれが生じやすく、引き戸の開閉が円滑でなく、引き戸がレールから外れて転倒してしまったり、ガイドローラやそれを支持するガイドアームに過度の負荷がかかって変形したりすることがある。一度変形してしまえば、１対のガイドローラ間の間隔が広くなってしまい、またガイドローラの向き合い状態が整合しないから、引き戸の支持は不安定となり、がたついたり、開閉不良が生じたりするという問題がある。
【０００５】
これに対し、ガイドローラの対数を増やすという考えもある。しかし、そのためにはガイド支柱を大型化しなければならず、持ち運びや地中に埋設するための工事などに労力や手数がかかり、コストが高くなるという問題があった。
【０００６】
本発明は上記問題点を解消し、特に大型の支柱を使わなくても、大型の引き戸に対応して、該引き戸を十分に支持し、常に円滑、確実に走行させることができる引き戸の支持構造を提供することをその課題とする。
【０００７】
【課題を解決するための手段】
前記課題を解決するため、本発明に係る引き戸の支持構造は、一端に戸当り柱を設けた引き戸レールの中途部の側部に２本のガイド柱をレールに沿って設け、上記レールに引き戸を開閉自在に設け、これら各ガイド柱の裏側から引き戸の上部を覆うように突出したガイドアームに、上記引き戸の左右両側面に沿って転動させる１対のガイドローラを設け、該ガイドローラによって引き戸の上部を支持するとともに、上記の少なくとも１本のガイド柱の基部には、上記引き戸の下部の左右両側部に係合可能でその転倒を防止する転倒防止金具を設けることを特徴とする。
【０００８】
また、前記２つのガイド柱は連結金具を介して連結されているのが望ましい。
【０００９】
【発明の実施の形態】
図１（ａ）（ｂ）は本発明に係る引き戸の開閉状態の正面図で、符号１は引き戸レール、２は引き戸、３は戸当り柱、４、５はガイド柱を示す。
【００１０】
引き戸レール１は逆Ｖ字形で、コンクリートの地面に設けられたアンカープレート６に支持され、地面Ｇ上に露出している（図５参照）。
【００１１】
引き戸２は縦框２ａと横框２ｂと中桟７と格子８によって横長の長方形に形成され、下部横框２ｂの下部には前後および中央にそれぞれ戸車９が固定されている。
【００１２】
戸当り柱３は戸当り面を有し、地中に埋設固定されている。
【００１３】
ガイド柱４、５は、図２〜図４に示されるように、中空の金属押出型材によって構成され、引き戸レール１の中途部の側部にレール１に沿って立設され、上部、中央部及び下部の３ヶ所でコ字形の連結金具１０によって連結されている。各ガイド柱４、５の下部は地中に埋設されている。
【００１４】
次に、各ガイド柱４、５の裏側（屋敷側）から引き戸２の上部を覆うようにガイドアーム１１、１２が突出されている。ガイドアーム１１、１２は中空の金属押出型材によって構成され、各アーム１１、１２は対応するガイド柱４、５のレール側の側面を貫通し、他側面にネジで固定されている。そして、ガイドアーム１１、１２には、上記引き戸２の左右両側面に沿って転動させる１対のガイドローラ１３が設けられている。１４はガイドローラ１３を隠すためのカバーである。上記引き戸２の上部は前後２対のガイドローラ１３の間に挟まれて支持されている。
【００１５】
次に、図４、図５及び図６に示されるように、ガイド柱４、５の基部には引き戸レール１の両側で、引き戸２を挟むように１対の転倒防止金具１５が設けられている。この転倒防止金具１５は、Ｌ字形の板金１６の中央に三角形のリブ１７を溶接してなるもので、地面を構成するコンクリートに埋めこんだグリップアンカー１８に板金の底片１６ａをビス止めすることにより固定されている。板金の起立片１６ｂは引き戸２の横框２ｂの左右両側部の近傍で、係合可能に配置されている。
【００１６】
なお、転倒防止金具１５は各ガイド柱４、５の基部に設けてもよい。
【００１７】
上記構成によれば、引き戸２を開閉するときは、引き戸２の上部は前後２対のガイドローラ１３によって支持され、同時に引き戸２の下部は引き戸レール１とその両側に配置された転倒防止金具１５によって支持される。したがって、引き戸２が大型のものであっても、該引き戸２を強く支持することができる。万が一引き戸２が転倒しそうになっても、転倒防止金具１５が引き戸２の転倒を効果的に防止するので、ガイドローラ１３が変形したり、ガイドローラ１３間の間隔が広くなったりしてしまうような不都合を未然に防ぐことができる。したがって、引き戸２を十分に支持して常に円滑、確実に走行させることができる。
【００１８】
また、従来と同じ大きさ、同じ形の２本のガイド柱４、５にそれぞれガイドローラ１３を取りつける構造でよいから、特に大型の支柱を使わなくてもよく、施工手間や作業時間もあまりかからず、コストも最小限に抑えることができる。
【００１９】
なお、上述の例は片開き引き戸の例であるが、両開きのものにも適用することができることはもちろんである。
【００２０】
【発明の効果】
請求項１に係る発明によれば、引き戸を開閉するときは、引き戸の上部は前後２対のガイドローラによって支持され、同時に引き戸の下部は引き戸レールとその両側に配置された転倒防止金具によって支持される。引き戸が大型のものであっても、これを強固に支持することができる。
【００２１】
また、万が一引き戸が転倒しそうになっても、転倒防止金具が引き戸の転倒を効果的に防止するので、ガイドローラが変形したり、ガイドローラ間の間隔が広くなったりしてしまうような不都合を未然に防ぐことができる。したがって、引き戸を十分に支持して常に円滑、確実に走行させることができる。
【００２２】
請求項２に係る発明によれば、従来と同じ大きさ、同じ形の２本のガイド柱にそれぞれガイドローラを取りつける構造でよいから、特に大型の支柱を使わなくてもよく、施工手間や作業時間もあまりかからず、コストも最小限に抑えることができる。
【図面の簡単な説明】
【図１】（ａ）（ｂ）は引き戸の閉じ状態と開き状態の正面図
【図２】上記引き戸のガイド柱部分の側面の要部断面図
【図３】上記引き戸のガイド柱部分の要部の背面図
【図４】上記引き戸のガイド柱部分の要部の平面図
【図５】転倒防止金具と引き戸との関係を示す側面図
【図６】転倒防止金具と引き戸との関係を示す正面図
【符号の説明】
２  引き戸
４、５  ガイド柱
１３  ガイドローラ
１５  転倒防止金具
【図１】
2004278092.tif 000003
【図２】
2004278092.tif 000004
【図３】
2004278092.tif 000005
【図４】
2004278092.tif 000006
【図５】
2004278092.tif 000007
【図６】
2004278092.tif 000008